(57)【特許請求の範囲】
【請求項１】
主幹ブレーカと、この主幹ブレーカに接続された導電バーと、この導電バーの延出方向に対して横並びに並設されて前記導電バーに接続される複数の分岐ブレーカと、前記導電バーを覆うとともに表面に各分岐ブレーカの負荷名称を表示する負荷名称表示部を有した絶縁カバーと、これらを収納する一面開口の箱体と、前記絶縁カバーの前記負荷名称表示部が臨む通孔を有して前記箱体の開口面に取着される蓋体と、を備えた分電盤において、
前記負荷名称表示部は、前記負荷名称を表示するカードを上面側に支持し下面側で前記導電バーを覆うカードホルダであって、前記カードホルダは前記カードの両側を係合して前記カードを前記蓋体の表面よりも前記通孔を通して突出した位置で前記蓋体の表面に沿ってスライドさせるスライド溝を有し、
前記絶縁カバーは、前記カードホルダと、前記導電バーの延出方向に並ぶ前記複数の分岐ブレーカの列の両端の位置で前記箱体に取着された一対のカバー部材からなり、前記カードホルダを前記一対のカバー部材間に着脱自在に取着した分電盤。
【請求項２】
前記カードのスライド方向を、導電バーの延出方向とした請求項１記載の分電盤。
【請求項３】
前記分岐ブレーカは導電バーに差込接続される受刃を有したプラグイン式とし、前記分岐ブレーカの導電バー差込先端側の表面に係止突起を設け、前記導電バーに前記受刃を差し込んだときに前記係止突起に乗り上げて係止する弾性引掛部材を前記導電バーの上面に配設し、前記弾性引掛部材が前記係止突起から外れないように前記弾性引掛部材の上面に当接する形で前記絶縁カバーの前記カードホルダを配設した請求項１または請求項２記載の分電盤。
【発明の詳細な説明】
【０００１】
【発明の属する技術分野】
本発明は、各分岐ブレーカに対応する負荷の名称表示部を有した分電盤に関するものである。
【０００２】
【従来の技術】
従来例として、特開2001−136611に示すものが存在する。このものは、プラグイン式の分岐ブレーカを導電バーの両側に配設し、分岐ブレーカの導電バー側に係止する係止部材によって抜止めを行っている。また各分岐ブレーカに対応する蓋体表面には、各分岐ブレーカに対応する負荷の名称表示部を有している。
【０００３】
【発明が解決しようとする課題】
しかし、この分電盤にあっては、蓋体に各分岐ブレーカに対応する負荷の名称表示部を有しているので、配線作業時に蓋体を外してしまうと、どの分岐ブレーカがどの負荷に接続されているか判別しにくいという問題があった。
【０００４】
本発明は、かかる事由に鑑みて成されたものであり、その目的とするところは、蓋体を外して各分岐ブレーカに各負荷の接続をする際、どの負荷に対応するブレーカなのか容易に判別することができる分電盤を提供することにある。
【０００５】
【課題を解決するための手段】
請求項１記載の分電盤は、主幹ブレーカと、この主幹ブレーカに接続された導電バーと、この導電バーの延出方向に対して横並びに並設されて前記導電バーに接続される複数の分岐ブレーカと、前記導電バーを覆うとともに表面に各分岐ブレーカの負荷名称を表示する負荷名称表示部を有した絶縁カバーと、これらを収納する一面開口の箱体と、前記絶縁カバーの前記負荷名称表示部が臨む通孔を有して前記箱体の開口面に取着される蓋体と、を備えた分電盤において、
前記負荷名称表示部は、前記負荷名称を表示するカードを上面側に支持し下面側で前記導電バーを覆うカードホルダであって、前記カードホルダは前記カードの両側を係合して前記カードを前記蓋体の表面よりも前記通孔を通して突出した位置で前記蓋体の表面に沿ってスライドさせるスライド溝を有し、
前記絶縁カバーは、前記カードホルダと、前記導電バーの延出方向に並ぶ前記複数の分岐ブレーカの列の両端の位置で前記箱体に取着された一対のカバー部材からなり、前記カードホルダを前記一対のカバー部材間に着脱自在に取着したものである。
【０００６】
請求項１記載の分電盤によれば、箱体から蓋体を外しても負荷名称表示部は箱体内の絶縁カバーにあるので、蓋体を外して各分岐ブレーカに各負荷の接続をする際、どの負荷に対応するブレーカなのか容易に判別することができ、作業性が向上する。また、蓋体を外さなくてもカードをスライド溝からスライド着脱することができ、もってカードを着脱する作業が容易となる。
また、分岐ブレーカの数が多くなっても絶縁カバーのカバー部材を共通とすることができ、絶縁カバーの作製が容易となる。
【０００７】
請求項２記載の分電盤は、請求項１において、前記カードのスライド方向を、導電バーの延出方向としたものである。
【０００８】
請求項２記載の分電盤によれば、請求項１と同様な効果のほか、カードをスライド着脱するときに分岐ブレーカが邪魔にならず、カードをスライド着脱する作業が容易となる。
【００１１】
請求項３記載の分電盤は、請求項１または請求項２において、前記分岐ブレーカは導電バーに差込接続される受刃を有したプラグイン式とし、前記分岐ブレーカの導電バー差込先端側の表面に係止突起を設け、前記導電バーに前記受刃を差し込んだときに前記係止突起に乗り上げて係止する弾性引掛部材を前記導電バーの上面に配設し、前記弾性引掛部材が前記係止突起から外れないように前記弾性引掛部材の上面に当接する形で前記絶縁カバーの前記カードホルダを配設したものである。
【００１２】
請求項３記載の分電盤によれば、請求項１または請求項２と同様な効果のほか、絶縁カバーを配設すれば、弾性引掛部材が変形しなくなり、弾性引掛部材から係止突起が外れるのを防止することができる。
【００１３】
【発明の実施の形態】
この発明の一実施の形態を図１から図６により説明する。すなわち、この分電盤は、主幹ブレーカ１と、導電バー２ａ〜２ｃと、複数の分岐ブレーカ３と、絶縁カバー４と、箱体５と、蓋体６を有する。
【００１４】
箱体５は一面に開口７を有し、開口７を通して内部に主幹ブレーカ１、導電バー２、複数の分岐ブレーカ３および絶縁カバー４を収納し、開口面に蓋体６を取着している。
【００１５】
主幹ブレーカ１は、箱体５の中央の一側寄りに配置され、その出力端子に接続される接続導体が主幹ブレーカ１のケース内に配設されて主幹ブレーカ１の一側部に延びている。
【００１６】
導電バー２ａ〜２ｃは、主幹ブレーカ１の側部で箱体５の底部に固定された分岐ブレーカ固定台８の中央部に、主幹ブレーカ１の側部から離れる方向に配設される。分岐ブレーカ固定台８は主幹ブレーカ１の側部に接近した端部とその反対側の端部にそれぞれ支柱９を設け、支柱９間に中央仕切り板１０を設け、中央仕切り板１０の両面に分岐ブレーカ３に対応して複数の分岐仕切り片１１を突設している。中央仕切り板１０の両側に導電バー配置部１２を設け、その中央仕切り板１０と反対側にブレーカ固定部１３を設けている。ブレーカ固定部１３は中央仕切り板１０から離れた端部に離れる方向に突出する固定用引掛部１４を突設している。導電バー２ａ、２ｂは中央仕切り板１０の両側の導電バー配置部１２に配置され、係合部１５、１６により係止し、導電バー２ｃは両端が支柱９の上端面に載置され、そこに設けた突起１７に位置決め孔１８を嵌合し、だるま形の孔１９を通してねじ孔２０にねじにより固定している。導電バー２ａ〜２ｃの各一端が接続バーの端部に接続孔２１により接続される。２２、２３は接続孔２１に接続される接続具を受ける凹部である。各導電バー２ａ、２ｂは中央仕切り板１０側の側部から立ち上がり分岐仕切り片１１間に位置する立片２４を有し、立片２４の上端側から水平方向に折曲されて中央仕切り板１０から離れる方向に延びる第１の接続片２５と第１の接続片２５よりも高くかつ中央仕切り板１０を越えて延びた第２の接続片２６からなっている。導電バー２ｃの上面には弾性引掛部材２７が導電バー２ｃに形成した穴２８に対向する突起（図示せず）を設けこれを穴２８に圧入して取付けられている。弾性引掛部材２７は両側に分岐ブレーカ数の略Ｔ字状の引掛片３０の脚部の中間部両側が弾性回動可能に支持され、脚部の端部３８ａを弾性引掛部材２７の幅方向の中央部に延長している。そして端部３８ａをドライバ等の治具により押すと引掛片３０の肩部が外れる方向に回動することができる。
【００１７】
複数の分岐ブレーカ３は、導電バー２ａ〜２ｃの延出方向に対して横並びに並設されて導電バー２ａ〜２ｃに接続される。分岐ブレーカ３は導電バー２ａ、２ｂの第１の接続片２５および第２の接続片２６ならびに導電バー２ｃに差込接続される受刃３１を有したプラグイン式とし、分岐ブレーカ３の導電バー差込先端側の表面（上面）に係止突起３２を設け、後端側の底面に引掛部１４に引っ掛ける受け凹部３３を形成している。したがって、各分岐ブレーカ３は、受け凹部３３を引掛部１４に引掛けながら係止突起３２を弾性引掛部材２７の引掛片３０にその弾性を利用して引っ掛けることにより取付けることができる。なお弾性引掛部材２７からブレーカ３を外すときは、端部３８ａをドライバ等により押して引掛片３０を係止突起３２から外すようにする。
【００１８】
蓋体６は箱体５の開口面に取着されるもので、着脱可能に構成されている。この蓋体６には導電バー２ａ〜２ｃおよび分岐ブレーカ３上の位置に通孔３６を形成している。通孔３６は蓋体６に形成した開口６ａの内側に係止爪５３により装着される蓋体の一部を構成する補助プレート５４に形成されている。５５は主幹ブレーカ１用の通孔である。各分岐ブレーカ３の上面は蓋体６の表面とほぼ面一に形成され、後述するスライド溝３９は分岐ブレーカ３の上面よりも突出している。蓋体６には、ブレーカ１、３および絶縁カバー４を塞ぐようにカバー５６が開口６ａの一側縁部に軸３４により回動自在に連結されて開閉可能にしている。
【００１９】
絶縁カバー４は、箱体５に設けられ、導電バー２ａ〜２ｃを覆うとともに表面に各分岐ブレーカ３の負荷名称を表示する負荷名称表示部３７を有し、負荷名称表示部３７が通孔３６に臨んでいる。この負荷名称表示部３７は負荷名称を表示するカード３８を有し、蓋体６の表面よりも突出した位置でカード３８を蓋体６の表面に沿ってスライドさせるスライド溝３９を有する。これにより、箱体５から蓋体６を外しても負荷名称表示部３７は箱体５内の絶縁カバー４にあるので、蓋体６を開いてあるいは外して各分岐ブレーカ３に各負荷の接続をする際、どの負荷に対応するブレーカなのか容易に判別することができ、作業性が向上する。また、蓋体６を開いたり外さなくてもカード３８をスライド溝３９からスライド着脱することができ、もってカード３８を着脱する作業を容易にしている。
【００２０】
また、カード３８のスライド方向は、導電バー２ａ〜２ｃの延出方向としており、カード３８をスライド着脱するときに分岐ブレーカ３が邪魔にならず、カード３８をスライド着脱する作業を容易にしている。
【００２１】
実施の形態では、負荷名称表示部３７を、スライド溝３９を有してカード３８を収納するカードホルダとしている。このカードホルダは平板により形成され、両側に側壁４０を形成しその先端４０ａを内向きに曲げて内側にスライド溝３９を形成し、また側壁４０間の中央部を側壁４０側に凸となり反対側に凹となる凸部４１を形成し、その両側に段部４２を形成している。カード３８は表示部４３と表示部４３を覆う透明材４４からなり、これらの中央が凸部４１に載置され、かつ両側が側壁４０のスライド溝３９に係止する。またカードホルダの両端より外方に向けて取付部４５を延出し、取付部４５に取付孔４６を形成している。
【００２２】
絶縁カバー４は、カードホルダにより形成した負荷名称表示部３７と、これに着脱自在であって少なくとも両端の分岐ブレーカ３に対応する位置で各々取着される一対のカバー部材４７からなる。これらのカバー部材４７は略逆Ｕ字形であり、その内側に取付孔４６に着脱可能に係止する突起４８を設け、両端に弾性の係止爪４９を設けている。したがって、カードホルダは一対のカバー部材４７間に取着され、これによって分岐ブレーカ３の数が多くなっても絶縁カバー４を共通のカバー部材４７とすることで対応させることができ、絶縁カバー４の作製が容易となる。また係止爪４９に対応して固定台８に係止爪４９が弾性係止する係止受け部５０を設け、これによりカバー部材４７を固定台８に係止している。この場合、絶縁カバー４のカードホルダは導電バー２ｃの上面に配設され、凸部４１の裏側の凹みに弾性引掛部材２７を配置し、かつ図１のように段部４２が、係止突起３２を係止する引掛片３０の上面に当接するように配設されている。したがって、絶縁カバー４を配設すれば、弾性引掛部材２７が変形しなくなり、弾性引掛部材２７から係止突起３２が外れるのを防止することができる。
【００２３】
【発明の効果】
請求項１記載の分電盤によれば、箱体から蓋体を外しても負荷名称表示部は箱体内の絶縁カバーにあるので、蓋体を外して各分岐ブレーカに各負荷の接続をする際、どの負荷に対応するブレーカなのか容易に判別することができ、作業性が向上する。また、蓋体を外さなくてもカードをスライド溝からスライド着脱することができ、もってカードを着脱する作業が容易となる。
また、分岐ブレーカの数が多くなっても絶縁カバーのカバー部材を共通とすることができ、絶縁カバーの作製が容易となる。
【００２４】
請求項２記載の分電盤によれば、請求項１と同様な効果のほか、カードをスライド着脱するときに分岐ブレーカが邪魔にならず、カードをスライド着脱する作業が容易となる。
【００２６】
請求項３記載の分電盤によれば、請求項１または請求項２と同様な効果のほか、絶縁カバーを配設すれば、弾性引掛部材が変形しなくなり、弾性引掛部材から係止突起が外れるのを防止することができる。
【図面の簡単な説明】
【図１】この発明の一実施の形態の部分拡大断面図である。
【図２】その全体の断面図である。
【図３】導電バーの取付けに関する分解斜視図である。
【図４】絶縁カバーの分解斜視図である。
【図５】カバーを破断した状態の平面図である。
【図６】蓋体を外した状態の平面図である。
【符号の説明】
１    主幹ブレーカ
２ａ〜２ｃ    導電バー
３    分岐ブレーカ
４    絶縁カバー
５    箱体
６    蓋体
７    開口
２７    弾性引掛部材
３１    受刃
３２    係止突起
３６    通孔
３７    負荷名称表示部
３８    カード
３９    スライド溝
４３    表示部
４４    透明材
４７    カバー部材
【図１】
0003820996.tif 000002
【図２】
0003820996.tif 000003
【図３】
0003820996.tif 000004
【図４】
0003820996.tif 000005
【図５】
0003820996.tif 000006
【図６】
0003820996.tif 000007